(57)【要約】【課題】各種電子機器の遠隔操作に用いられるリモコン送信機に関し、電池交換時のホルダーの落下や紛失を防止したものを提供することを目的とする。【解決手段】操作部１４及び回路部１６が形成された上下筐体１１，１２と、この筐体内に挿抜可能に収納され電池２０を装着したホルダー１９の間に、ホルダー１９抜去時に当接する係止部１２Ａと１９Ａを設けることによって、ホルダーの落下や紛失を防止したリモコン送信機を得ることができる。【選択図】  図１
2004266608.tif 000002
【特許請求の範囲】
【請求項１】
操作部及びこの操作部の操作によってリモコン信号を送信する回路部が形成された筐体と、この筐体内に挿抜可能に収納されたホルダーと、このホルダーに装着され上記回路部に接続された円盤状の電池からなり、上記ホルダーと上記筐体間に、ホルダー抜去時に当接する係止部を設けたリモコン送信機。
【請求項２】
操作部及びこの操作部の操作によってリモコン信号を送信する回路部が形成された筐体と、この筐体内に収納されたホルダーと、このホルダーに装着され上記回路部に接続された円盤状の電池からなり、上記ホルダーと上記筐体へ回転可能に保持したリモコン送信機。
【請求項３】
ホルダーと筐体間に、ホルダーが所定角度で当接する当接部を設けた請求項２記載のリモコン送信機。
【発明の詳細な説明】
【０００１】
【発明の属する技術分野】
本発明は、テレビやビデオ、エアコン等の各種電子機器の遠隔操作に用いられるリモコン送信機に関するものである。
【０００２】
【従来の技術】
近年、テレビやビデオ、エアコン等の各種電子機器の小型化・軽量化が進むなか、これらを遠隔操作するリモコン送信機においても、円盤状の釦型電池を用いて薄型化・軽量化を図った、所謂カード型のものが多く使用されている。
【０００３】
このような従来のリモコン送信機について、図７を用いて説明する。
【０００４】
図７は従来のリモコン送信機の斜視図であり、同図において、１は合成樹脂製の筐体で、この筐体１上面には、押圧操作可能に突出した複数の操作キーが配列された操作部２が形成されると共に、筐体１内部には、配線基板やこれに実装された各種電子部品（図示せず）等によって、機器を遠隔操作する赤外線等のリモコン信号を送信する回路部３が形成されている。
【０００５】
また、４は合成樹脂製のホルダーで、このホルダー４が筐体１内に挿抜可能に収納されると共に、ホルダー４に装着された円盤状釦型の電池５が、筐体１内の配線基板に設けられた電極（図示せず）に接触し、回路部３に接続されてリモコン送信機が構成されている。
【０００６】
以上の構成において、このリモコン送信機を電子機器に向け、操作部２の所定の操作キー、例えば電源操作キーや音量切換キー等を押圧操作すると、これらに対応した赤外線のリモコン信号が回路部３から電子機器へ送信され、これによって電子機器の電源の入／切や音量の増減等が遠隔操作によって行われる。
【０００７】
また、長時間使用して電池５が消耗した場合には、ホルダー４を筐体１から抜去して外し、電池５を交換した後、再びホルダー４を筐体１へ挿入して、遠隔操作を行うように構成されているものであった。
【０００８】
なお、この出願の発明に関連する先行技術文献情報としては、例えば、特許文献１が知られている。
【０００９】
【特許文献１】
特開平１０−２８４０３０号公報
【００１０】
【発明が解決しようとする課題】
しかしながら、上記従来のリモコン送信機においては、電池５を交換する際、ホルダー４を筐体１から抜去して電池５を交換するため、ホルダー４を落下させて破損させたり、新たな電池を探す間にホルダー４を紛失してしまい易いという課題があった。
【００１１】
本発明は、このような従来の課題を解決するものであり、ホルダーの落下や紛失を防止したリモコン送信機を提供することを目的とする。
【００１２】
【課題を解決するための手段】
上記目的を達成するために本発明は、以下の構成を有するものである。
【００１３】
本発明の請求項１に記載の発明は、ホルダーと筐体間に、ホルダー抜去時に当接する係止部を設けてリモコン送信機を構成したものであり、係止部によりホルダーが筐体から完全には外れず、所定の位置で係止されるため、電池交換時のホルダーの落下や紛失を防止したリモコン送信機を得ることができるという作用を有する。
【００１４】
請求項２に記載の発明は、ホルダーを筐体へ回転可能に保持してリモコン送信機を構成したものであり、ホルダーが筐体に回転可能に保持されているため、ホルダーの落下や紛失を防止できると共に、電池の交換も行い易いリモコン送信機を得ることができるという作用を有する。
【００１５】
請求項３に記載の発明は、請求項２記載の発明において、ホルダーと筐体間に、ホルダーが所定角度で当接する当接部を設けたものであり、ホルダーを所定角度で保持できるため、電池の交換をさらに容易に行うことができるという作用を有する。
【００１６】
【発明の実施の形態】
以下、本発明の実施の形態について、図１〜図６を用いて説明する。
【００１７】
（実施の形態１）
実施の形態１を用いて、本発明の特に請求項１記載の発明について説明する。
【００１８】
図１は本発明の第１の実施の形態によるリモコン送信機の側面断面図、図２は同部分断面斜視図であり、同図において、１１はポリスチレンやＡＢＳ等の合成樹脂製の上筐体、１２は同じく合成樹脂製の下筐体、１３はポリエチレンテレフタレート等のフィルム状のパネルで、パネル１３が上筐体１１上面に貼付されると共に、パネル１３にはドーム状に上方へ突出した複数の操作キーが配列されて、操作部１４が形成されている。
【００１９】
そして、１５は紙フェノールやガラス入りエポキシ等の、上下面に複数の配線パターン（図示せず）が形成された配線基板で、上筐体１１と下筐体１２内に収納されると共に、この上下面に実装された各種電子部品等によって、機器を遠隔操作する赤外線等のリモコン信号を送信する回路部１６が形成されている。
【００２０】
また、パネル１３の操作部１４下面には、カーボン等の可動接点１７が形成され、この可動接点１７と所定の間隙を空けて対向する配線基板１５上面には、銅等の複数の固定接点１８が形成されている。
【００２１】
さらに、１９はポリオキシメチレンやＡＢＳ等の合成樹脂製のホルダーで、このホルダー１９が下筐体１２内に挿抜可能に収納されると共に、ホルダー１９に装着された円盤状釦型の電池２０が、配線基板１５に設けられた電極（図示せず）に接触して、回路部１６に接続されている。
【００２２】
そして、下筐体１２端部の開口部には上方へ突出する係止部１２Ａが設けられると共に、ホルダー１９には下方へ突出する係止部１９Ａが設けられて、リモコン送信機が構成されている。
【００２３】
以上の構成において、このリモコン送信機を電子機器に向け、操作部１４の所定の操作キー、例えば電源操作キーや音量切換キー等を押圧操作すると、操作部１４が弾性変形して、下面の可動接点１７と配線基板１５上面の固定接点１８との電気的接離が行われる。
【００２４】
そして、これによって、その操作キーに対応した赤外線のリモコン信号が回路部１６から電子機器へ送信され、このリモコン信号を電子機器内の受信機（図示せず）が受信して、機器の電源の入／切や音量の増減等が遠隔操作によって行われる。
【００２５】
また、長時間使用して電池２０が消耗した場合には、図３の側面断面図に示すように、ホルダー１９を下筐体１２から抜去して電池２０の交換を行うが、この時、ホルダー１９の係止部１９Ａが下筐体１２の係止部１２Ａに当接して、ホルダー１９が下筐体１２から完全に外れないように構成されている。
【００２６】
つまり、ホルダー１９端部が下筐体１２に係止された状態で、電池交換を行った後、再びホルダー１９を下筐体１２へ挿入して、遠隔操作を行うように構成されている。
【００２７】
なお、リモコン送信機の組立て時に、このように抜去防止用の係止部１９Ａが設けられたホルダー１９を下筐体１２へ挿入するには、図４の側面断面図に示すように、ホルダー１９を斜め下方向へ傾けた状態で、係止部１９Ａを係止部１２Ａの向こう側に当接させて挿入し、この後、ホルダー１９を下筐体１２へ平行な状態に戻して、組立てが行われる。
【００２８】
このように本実施の形態によれば、ホルダー１９と下筐体１２間に、ホルダー１９抜去時に当接する係止部１９Ａと係止部１２Ａを設けることによって、ホルダー１９が下筐体１２から完全には外れず、所定の位置で係止されるため、電池交換時のホルダーの落下や紛失を防止したリモコン送信機を得ることができるものである。
【００２９】
（実施の形態２）
実施の形態２を用いて、本発明の特に請求項２及び３記載の発明について説明する。
【００３０】
なお、実施の形態１の構成と同一構成の部分には同一符号を付して、詳細な説明を省略する。
【００３１】
図５は本発明の第２の実施の形態によるリモコン送信機の裏面視の平面部分断面図であり、同図において、裏面の上筐体１１上面に、複数の操作キーが配列された操作部１４（図示せず）が形成されていることや、上筐体１１と下筐体１２内に収納された配線基板１５（図示せず）に、機器を遠隔操作するリモコン信号を送信する回路部１６（図示せず）が形成されていることは実施の形態１の場合と同様である。
【００３２】
また、合成樹脂製のホルダー２２に装着された円盤状釦型の電池２０が、配線基板１５に設けられた電極（図示せず）に接触して、回路部１６に接続されていることも実施の形態１の場合と同様であるが、ホルダー２２はねじ２３によって、端部の軸孔２２Ａを下筐体１２へ回転可能に保持されている。
【００３３】
そして、下筐体１２にはねじ２３近傍に、ホルダー２２側面が当接する当接部１２Ｂが設けられて、リモコン送信機が構成されている。
【００３４】
以上の構成において、このリモコン送信機を電子機器に向け、操作部１４の所定の操作キーを押圧操作すると、その操作に対応した赤外線のリモコン信号が回路部１６から電子機器へ送信され、機器の遠隔操作が行われる。
【００３５】
また、長時間使用して電池２０が消耗した場合には、図６の平面部分断面図に示すように、ホルダー２２を下筐体１２から抜去して電池２０の交換を行うが、この時、ホルダー２２はねじ２３によって保持された軸孔２２Ａを支点として回転し、ホルダー２２が下筐体１２に保持された状態で電池交換が行われるように構成されている。
【００３６】
さらに、ホルダー２２が所定角度だけ回転すると、ホルダー２２側面が下筐体１２のねじ２３近傍に設けられた当接部１２Ｂに当接し、それ以上は回転しないように構成されている。
【００３７】
このように本実施の形態によれば、ホルダー２２を下筐体１２へ回転可能に保持することによって、ホルダー２２の落下や紛失を防止できると共に、電池２０の交換も行い易いリモコン送信機を得ることができるものである。
【００３８】
また、ホルダー２２と下筐体１２間に、ホルダー２２が所定角度で当接する当接部１２Ｂを設けることによって、ホルダー２２を所定角度で保持できるため、電池２０の交換をさらに容易に行うことができる。
【００３９】
【発明の効果】
以上のように本発明によれば、ホルダーの落下や紛失の防止が可能なリモコン送信機を得ることができるという有利な効果が得られる。
【図面の簡単な説明】
【図１】本発明の第１の実施の形態によるリモコン送信機の側面断面図
【図２】同部分断面斜視図
【図３】同抜去時の側面断面図
【図４】同組立て時の側面断面図
【図５】本発明の第２の実施の形態によるリモコン送信機の平面部分断面図
【図６】同抜去時の平面部分断面図
【図７】従来のリモコン送信機の斜視図
【符号の説明】
１１  上筐体
１２  下筐体
１２Ａ  係止部
１２Ｂ  当接部
１３  パネル
１４  操作部
１５  配線基板
１６  回路部
１７  可動接点
１８  固定接点
１９，２２  ホルダー
１９Ａ  係止部
２０  電池
２２Ａ  軸孔
２３  ねじ
【図１】
2004266608.tif 000003
【図２】
2004266608.tif 000004
【図３】
2004266608.tif 000005
【図４】
2004266608.tif 000006
【図５】
2004266608.tif 000007
【図６】
2004266608.tif 000008
【図７】
2004266608.tif 000009